(57)【特許請求の範囲】
【請求項１】
筒状のゲートバー内に挿入されたスイッチアセンブリ取付部材にスイッチアセンブリが取り付けられ、破損しない程度に不正に曲げられるゲートバーの内面がスイッチアセンブリを動作させることにより、不正曲げが検知されるようにしたゲートバー不正曲げ検知装置において、スイッチアセンブリ取付部材が、ゲートバー保持腕にゲートバーの長手方向に伸びる片持ち梁のように固定されたことを特徴とするゲートバー不正曲げ検知装置。
【請求項２】
請求項１に記載のゲートバー不正曲げ検知装置において、スイッチアセンブリ位置調整溝がスイッチアセンブリ取付部材にゲートバーの長手方向に伸びるように形成されたことを特徴とするゲートバー不正曲げ検知装置。
【請求項３】
請求項１に記載のゲートバー不正曲げ検知装置において、スイッチアセンブリ付替え穴がスイッチアセンブリ取付部材にゲートバーの内面周方向に沿うよう複数個形成されたことを特徴とするゲートバー不正曲げ検知装置。
【請求項４】
請求項１に記載のゲートバー不正曲げ検知装置において、テープ状のスイッチアセンブリがスイッチアセンブリ取付部材の外周に巻回されたことを特徴とするゲートバー不正曲げ検知装置。
【請求項５】
請求項１乃至請求項３のいずれかに記載のゲートバー不正曲げ検知装置において、スイッチアセンブリがスイッチアセンブリ取付部材の相対向する位置に取り付けられたことを特徴とするゲートバー不正曲げ検知装置。
【請求項６】
請求項１乃至請求項３のいずれかに記載のゲートバー不正曲げ検知装置において、スイッチアセンブリがスイッチアセンブリ取付部材の上下及び前後に取り付けられたことを特徴とするゲートバー不正曲げ検知装置。
【請求項７】
請求項１乃至請求項６のいずれかに記載のゲートバー不正曲げ検知装置において、スイッチアセンブリのリード線を通す貫通孔がゲートバー保持腕に穿設されたことを特徴とするゲートバー不正曲げ検知装置。
【発明の詳細な説明】
【０００１】
【発明の属する技術分野】
本発明は、駐車場等に設置されるゲートバー不正曲げ検知装置に関する。
【０００２】
【従来の技術】
特開昭４９−３１００９号公報、特開平７−２７７１９３号公報、特公平７−７０５７号公報は、ゲートバーが折損した場合にその折損を検知して駐車場監視員に報知する警報装置について開示するが、ゲートバーが折損する前の段階で不正曲げを検知しゲートバーの折損を未然に防止したいとの要請がある。
【０００３】
特開平１１−９１５７２号公報、実開昭５３−１４５６０３号公報は、ゲートバーが折損する前に不正曲げを検知する技術について開示する。特開平１１−９１５７２号公報の不正曲げ検知手段は、ゲートバー保持腕にゲートバーを隙間があくように挿入し、この隙間内に接点を設け、ゲートバーが不正に曲げられることにより接点が閉じると不正曲げの検知信号を出力するようになっている。また、実開昭５３−１４５６０３号公報の不正曲げ検知手段は、ゲートバー保持腕にゲートバーを囲む筒状接点を取り付けると共にこの筒状接点を外周から囲む環状接点を取り付け、不正に曲げられたゲートバーが筒状接点を弾性変形させると接点が閉じて不正曲げの検知信号を出力するようになっている。
【０００４】
【発明が解決しようとする課題】
特開平１１−９１５７２号公報の不正曲げ検知手段は、接点間に接触不良を起こしやすく、接点の取り付け作業が面倒である。また、ゲートバーの曲げにより接点の回りで応力が集中し、ゲートバーが折れやすくなる。また、ゲートバー保持腕には、電源に接続するためのリード線を外部へ取り出す孔を開けなければならず、その孔から雨水や塵埃等が侵入し漏電等の故障を引き起こす原因となる。
【０００５】
実開昭５３−１４５６０３号公報の不正曲げ検知手段によれば、接点間に接触不良を起こしやすく、ゲートバーにより筒状接点が繰り返し曲げられると、筒状接点が欠損するおそれがある。
【０００６】
また、特開平１１−９１５７２号公報、実開昭５３−１４５６０３号公報のいずれの不正曲げ検知手段も、一定の不正曲げ荷重に対してのみ反応するので、例えば風や開閉動作等によるゲートバーの揺動によっても不正曲げとして検知されたり、グラスファイバ、アルミニウム、プラスチック等ゲートバーの形成材料が相違することなどによって曲げ変形の大きさが変ると不正曲げが検知不能になったりする。
【０００７】
本発明は上記諸問題点を解決することができるゲートバー不正曲げ検知装置を提供することを目的とする。
【０００８】
【課題を解決するための手段】
上記課題を解決するため、請求項１に係る発明は、筒状のゲートバー（５）内に挿入されたスイッチアセンブリ取付部材（１２）にスイッチアセンブリ（１３，１８）が取り付けられ、破損しない程度に不正に曲げられるゲートバー（５）の内面がスイッチアセンブリ（１３，１８）を動作させることにより、不正曲げが検知されるようにしたゲートバー不正曲げ検知装置において、スイッチアセンブリ取付部材（１２）が、ゲートバー保持腕（６）にゲートバー（５）の長手方向に伸びる片持ち梁のように固定されたゲートバー不正曲げ検知装置を採用する。
【００１０】
また、請求項２に係る発明は、請求項１に記載のゲートバー不正曲げ検知装置において、スイッチアセンブリ位置調整溝（１６）がスイッチアセンブリ取付部材（１２）にゲートバー（５）の長手方向に伸びるように形成されたゲートバー不正曲げ検知装置を採用する。
【００１１】
また、請求項３に係る発明は、請求項１に記載のゲートバー不正曲げ検知装置において、スイッチアセンブリ付替え穴（１７）がスイッチアセンブリ取付部材（１２）にゲートバー（５）の内面周方向に沿うよう複数個形成されたゲートバー不正曲げ検知装置を採用する。
【００１２】
また、請求項４に係る発明は、請求項１に記載のゲートバー不正曲げ検知装置において、テープ状のスイッチアセンブリ（１８）がスイッチアセンブリ取付部材（１２）の外周に巻回されたゲートバー不正曲げ検知装置を採用する。
【００１３】
また、請求項５に係る発明は、請求項１乃至請求項３のいずれかに記載のゲートバー不正曲げ検知装置において、スイッチアセンブリ（１３）がスイッチアセンブリ取付部材（１２）の相対向する位置に取り付けられたゲートバー不正曲げ検知装置を採用する。
【００１４】
また、請求項６に係る発明は、請求項１乃至請求項３のいずれかに記載のゲートバー不正曲げ検知装置において、スイッチアセンブリ（１３）がスイッチアセンブリ取付部材（１２）の上下及び前後に取り付けられたゲートバー不正曲げ検知装置を採用する。
【００１５】
また、請求項７に係る発明は、請求項１乃至請求項６のいずれかに記載のゲートバー不正曲げ検知装置において、スイッチアセンブリ（１３，１８）のリード線（１４，２４ａ，２４ｂ）を通す貫通孔（１５）がゲートバー保持腕（６）に穿設されたゲートバー不正曲げ検知装置を採用する。
【００１６】
【発明の実施の形態】
次に、本発明の実施の形態について図面を参照して説明する。
【００１７】
＜実施の形態１＞
図１に示すように、ゲート開閉装置は、例えば駐車場と一般道との間の通路１に設けられる。
【００１８】
ゲート開閉装置の駆動部等は路側に設けられた土台２上に配置され、その全体がケース３で覆われている。ケース３からは駆動軸４が片持ち状に水平方向に突出し、この駆動軸４に上下に回動動作をするゲートバー保持腕６が固定され、ゲートバー保持腕６に通路１を開閉するゲートバー５が固定されている。ゲート開閉装置は、駆動軸４を回転させ、ゲートバー５を実線位置に倒すことで通路１を遮断し、ゲートバー５を二点鎖線位置に起立させることで通路１を開放する。
【００１９】
ケース３内の駆動部は、図示しないが、モータと、モータから減速機を介して駆動軸４へとトルクを伝達する伝動機構とを備えている。この実施の形態では公知の駆動装置を利用するものとし、その詳細な説明は省略する。
【００２０】
このゲート開閉装置は、図２に示すようなゲートバー取付構造を備える。
【００２１】
すなわち、ゲートバー保持腕６に繊維強化プラスチック製の筒状のゲートバー５が被せられ、ゲートバー保持腕６の外面にゲートバー５の内面が密着せしめられることにより、ゲートバー保持腕６にゲートバー５が固定される。
【００２２】
ゲートバー保持腕６は、駆動軸４の先端に駆動軸４の軸方向と直角な方向に固定される。具体的には、駆動軸４の先端の側面にゲートバー保持腕６の保持具７が固定され、この保持具７の先端にゲートバー保持腕６が連結される。保持具７は中央の段差を介して両側に固定ネジ７ｂと保持ネジ７ｃと夫々有する。保持具７は、固定ネジ７ｂが駆動軸４の先端に穿設された横穴４ａに挿入され、段差面が駆動軸４の側面に当てられ、固定ネジ７ｂの駆動軸４を貫通した箇所にワッシャ８及びスプリングワッシャ９を介しナット１０が螺着されることにより、駆動軸４に固定される。ゲートバー保持腕６は、例えば鋼等の金属で出来たパイプで形成され、その一端の内面には雌ネジ６ｂが形成され、この雌ネジ６ｂを保持具７の保持ネジ７ｃに螺合させることにより、保持具７に固定される。なお、この実施の形態では、ゲートバー保持腕６と保持具７とをそれぞれ別部材で構成したが、一体で構成してもよい。
【００２３】
ゲートバー５は、この実施の形態では繊維強化プラスチック（ＦＲＰ）で形成され、プリプレグシートをマンドレルに巻装することにより製造されるが、その他アルミニウム、プラスチック等の各種の材料で作ることも可能である。ゲートバー５はゲートバー保持腕６の外径に略等しい内径の円筒状内面を有した筒体であり、この内面がゲートバー保持腕６の外面に密接するようにゲートバー保持腕６に被せられる。このようにゲートバー５とゲートバー保持腕６の平滑面同士が密着することから、ゲートバー５はゲートバー保持腕６に抜け落ちないように固定される。また、ゲートバー５はその端面が駆動軸４の側面に当接することによりその軸方向上での位置決めが行われる。
【００２４】
図１に示すように、ゲートバー保持腕６、駆動軸４等の周囲は、必要に応じてハウジング１１により覆われる。
【００２５】
このゲート開閉装置は、ゲートバーの不正曲げによる折損を未然に防止するため、ゲートバー不正曲げ検知装置を備える。
【００２６】
このゲートバー不正曲げ検知装置は、図２に示すように構成される。すなわち、筒状のゲートバー５内に挿入されたスイッチアセンブリ取付部材１２にスイッチアセンブリ１３が取り付けられ、破損しない程度に不正に曲げられるゲートバー５の内面がスイッチアセンブリ１３を動作させることにより、不正曲げを検知するようになっている。ゲートバー５が破損しない程度に不正に曲げられると、ゲートバー５の内面がスイッチアセンブリ１３を動作させ、スイッチアセンブリ１３は接触不良を生じることなく作動状態となり、不正曲げ発生の信号を出力する。
【００２７】
スイッチアセンブリ１３は、この実施の形態ではマイクロスイッチ又はリミットスイッチであり、図２に示すように、ゲートバー５の中空内に押しボタン等のアクチュエータ１３ａが前側に来るように配置される。スイッチアセンブリ１３としては、マイクロスイッチ等の有接点スイッチのほかに、リードスイッチ等の無接点スイッチを用いることができる。無接点スイッチを用いる場合は、このスイッチアセンブリ１３に対向するようにゲートバー５の内面に磁性体が取り付けられる。
【００２８】
スイッチアセンブリ取付部材１２は、図２に示すように、筒状の棒材で形成され、ゲートバー保持腕６に片持ち梁のように固定される。このゲートバー保持腕６はゲートバー５の軸心上をその長手方向に伸び、その外周面とゲートバー５の内周面との間には嵌挿が可能なだけの隙間が形成される。スイッチアセンブリ取付部材１２は、筒状のほか、板状、箱状等の所望の形状とすることができる。このようにスイッチアセンブリ取付部材１２がゲートバー保持腕６にゲートバー５の長手方向に伸びる片持ち梁のように固定されたことから、ゲートバー５が不正曲げにより撓んでスイッチアセンブリ取付部材１２に当接しても、スイッチアセンブリ取付部材１２も同様に撓む。これにより、ゲートバー５の付け根への応力集中が回避され、ゲートバー５の折損が防止される。
【００２９】
スイッチアセンブリ１３は、望ましくはスイッチアセンブリ取付部材１２の先端部に取り付けられるが、ゲートバー５に破損を生じない程度の不正曲げ荷重によりゲートバー５が撓む場合に、この撓んだゲートバー５の内周面がスイッチアセンブリ１３のアクチュエータ１３ａに接触可能な位置に取り付けられる。また、このスイッチアセンブリ１３は、風や開閉動作等によるゲートバー５の揺動によってはアクチュエータ１３ａが動作しないような位置に配置される。また、図２に示すように、この実施の形態ではスイッチアセンブリ１３は、そのアクチュエータ１３ａがゲートバー５の前側を向くように設置されることからゲートバー５の後方向への不正曲げを検知するが、スイッチアセンブリ１３をゲートバー５の後側、上側、下側にもそれぞれセットすればゲートバー５の前方向、上下方向（図１参照）への不正曲げも検知することができる。もちろん、スイッチアセンブリ１３をゲートバー５の斜め方向にもセットしそれらの向きでの不正曲げを検知するようにしてもよい。
【００３０】
スイッチアセンブリ１３のリード線１４は、図２に示すように、スイッチアセンブリ１３からスイッチアセンブリ取付部材１２の中空室内を後方へと伸びる。ゲートバー保持腕６と一体化される保持具７には、その軸心上にて貫通孔１５が穿設され、この貫通孔１５内をリード線１４が通される。このゲートバー保持腕６の後端から引き出されたリード線１４は、ゲート開閉装置の図示しない制御部の制御回路や電源にコネクタを介し結線される。このようにゲートバー５やゲートバー保持腕６の側面にリード線１４を通すための孔をあける必要がないので、ゲートバー５等の内部への雨水、塵埃等が侵入が防止される。
【００３１】
次に、上記構成のゲート開閉装置の作用について説明する。
【００３２】
マイクロスイッチ等のスイッチアセンブリ１３は、ゲートバー５の曲げ許容範囲で作動するが風、閉動作時の振れ等では作動しないような配置でスイッチアセンブリ取付部材１２上にセットしておく。
【００３３】
制御回路による制御により、図１に示すごとく、ケース３内のモータの駆動により駆動軸４が一方向に所定角度（例えば９０度）だけ回転すると、ゲートバー５が実線で示した閉位置から二点鎖線で示した開位置へと回転して車両等の通過を許容し、駆動軸４が逆方向に所定角度（例えば−９０度）だけ回転すると、ゲートバー５が二点鎖線で示した開位置から実線で示した閉位置へと回転して車両等の通過を阻止する。
【００３４】
図３に示すように、このゲートバー５が閉止状態にあるときに（ステップＳ1）、ゲートバー不正曲げ検知装置がＯＮにセットされる（ステップＳ2）。
【００３５】
そこで、閉じた状態のゲートバー５が不正に曲げられると、ゲートバー５の内周面がリミットスイッチ等のスイッチアセンブリ１３を作動させる。スイッチアセンブリ１３は不正曲げの発生を検知し（ステップＳ3）、制御回路に警報信号を出力する（ステップＳ4）。
【００３６】
この警報信号に基づき制御回路は図示しない警報器を動作させて警報を発生させ、駐車場監視員等に通報する（ステップＳ5）。警報器は一定時間警報を発した後に停止する（ステップＳ6）。
【００３７】
このように、ゲートバー５に不正曲げが発生すると直ちに駐車場監視員等に報知され、不正曲げの発生原因が除去されるので、ゲートバー５の折損が未然に防止される。
【００３８】
＜実施の形態２＞
図４に示すように、この実施の形態２のゲート開閉装置では実施の形態１の場合とは異なる制御手順が採用される。
【００３９】
すなわち、ゲートバー５が閉止状態にあるときに（ステップＳ1）、ゲートバー不正曲げ検知装置がＯＮにセットされる（ステップＳ2）。
【００４０】
そこで、閉じた状態のゲートバー５が不正に曲げられると、ゲートバー５の内周面がリミットスイッチ等のスイッチアセンブリ１３を作動させる。スイッチアセンブリ１３は不正曲げの発生を検知し（ステップＳ3）、制御回路にゲートバー開信号を入力する（ステップＳ4）。
【００４１】
ゲートバー開信号に基づきゲートバー５は開動作した後に図１中二点鎖線で示す位置に停止する（ステップＳ5、ステップＳ6）。
【００４２】
続いて制御回路は警報信号を出力し（ステップＳ7）、図示しない警報器が警報を発して駐車場監視員等に通報する（ステップＳ8）。警報器が一定時間警報を発すると、制御回路は警報を停止させる（ステップＳ9）。
【００４３】
不正曲げの原因が除去されると、ゲートバー５が閉動作し（ステップＳ10）、図１中実線で示す位置に停止する（ステップＳ11）。
【００４４】
このように、ゲートバー５に不正曲げが発生すると駐車場監視員等に報知される前にゲートバー５が一旦開かれるので、ゲートバー５の折損がより確実に防止される。
【００４５】
＜実施の形態３＞
図５及び図６（Ａ）に示すように、この実施の形態３では、スイッチアセンブリ位置調整溝１６がスイッチアセンブリ取付部材１２にゲートバー５の長手方向に伸びるように形成される。スイッチアセンブリ１３をこの溝１６上で滑らせることにより、その設置場所をゲートバー５の長手方向に沿って変更することができる。
【００４６】
このようにスイッチアセンブリ１３の位置をゲートバー５の長手方向で変えることで感度調整が可能となり、例えば風や開閉動作等によるゲートバー５の揺動では不正曲げとして検知されないようにすることができる。また、ゲートバー５が繊維強化プラスチック、アルミニウム、プラスチック等の各種の材料で作られることなどにより撓み量が変化しても、一定の感度を得ることができるようすることができる。
【００４７】
その他、図６（Ｂ）又は（Ｃ）に示すように、スイッチアセンブリ付替え穴１７をスイッチアセンブリ取付部材１２にゲートバー５の内面周方向に沿うよう複数個形成するようにしてもよい。スイッチアセンブリ１３を取り付けるスイッチアセンブリ付替え穴１７をいずれかに変更することでスイッチアセンブリ１３は不正曲げの検知に適した位置に配置される。例えば、スイッチアセンブリ取付部材１２のねじ込み具合によりその固定位置が周方向でバラついても、所望の位置にスイッチアセンブリ１３を設置することができる。スイッチアセンブリ付替え穴１７は図５に示すスイッチアセンブリ位置調整溝１６のようにゲートバー５の長手方向に伸びる溝形に形成してもよく、その場合はスイッチアセンブリ１３を周方向及び軸方向の双方で位置変更することができる。
【００４８】
スイッチアセンブリ付替え穴１７を図６（Ｂ）のようにスイッチアセンブリ取付部材１２の周方向上で相対向するごとく形成する場合は、二つのスイッチアセンブリ１３，１３を対向配置することでゲートバー５の例えば上下方向又は前後方向での不正曲げを検知することができる。また、スイッチアセンブリ付替え穴１７を図６（Ｃ）のようにスイッチアセンブリ取付部材１２の例えば上下及び前後に対向形成する場合は、四つのスイッチアセンブリ１３，１３，１３，１３を二方向で対向配置することにより、ゲートバー５が上下両方向及び前後両方向のいずれに屈曲しても不正曲げを検知することができる。
【００４９】
この実施の形態においては、スイッチアセンブリ１３をスイッチアセンブリ取付部材１２の溝１６に沿って摺動させたり他のスイッチアセンブリ付替え穴１７に付け替えたりして、ゲートバー５の曲げ許容範囲を決定し、当該位置にそのスイッチアセンブリ１３をネジ等により締め付け固定する。
【００５０】
＜実施の形態４＞
図７に示すように、実施の形態４では上記各種実施の形態におけるスイッチアセンブリ１３とは異なるスイッチアセンブリ１８が使用される。
【００５１】
すなわち、テープ状に形成されたスイッチアセンブリ１８がスイッチアセンブリ取付部材１２の先端部の外周に巻回される。このスイッチアセンブリ１８はゴムシート内に接点を埋設してなるもので、ゴムシートに押圧力がかかることにより接点が閉じるようになっている。また、スイッチアセンブリ取付部材１２の先端部には、軸方向に延びる溝１２ａが形成されている。この溝１２ａにリード線１４を通してスイッチアセンブリ取付部材１２の内部に導いている。これにより、スイッチアセンブリ１８のスイッチアセンブリ取付部材１２への取り付けが確実になるとともに、リード線１４の屈曲が少なくなり、断線のおそれが少なくなる。
【００５２】
このようにスイッチアセンブリ１８がゲートバー５の内部にその軸心を取り巻くように配置されることから、ゲートバー５の不正曲げが上下方向、前後方向、斜め方向等各種方向に生じても、スイッチアセンブリ１８が動作しゲートバー５の不正曲げを適正に検知する。
【００５３】
＜実施の形態５＞
図８に示すように、この実施の形態５では、スイッチアセンブリ取付部材１２の中空内にスイッチアセンブリ１３から伸びるリード線１４と制御回路側のリード線１９とを連結するためのソケット２０が取り付けられる。両リード線１４，１９は単線化され、ソケット２０は単線のリード線１４，１９同士を連結するようになっている。リード線１９はこのソケット２０の箇所で接続、分断が自在であり、スイッチ取付部材１２がゲートバー５の不正曲げ等により折損した場合は、リード線１９をソケット２０から抜き取ることによりスイッチ取付部材１２を新しいものと速やかに取り替えることがきる。また、現場での組立作業も簡易に行うことができる。
【００５４】
なお、図８中符号２１，２２は保持具７の貫通穴１５を遮蔽するためのシール材であるゴムワッシャ、ゴムワッシャ及びリード線１９を保持具７上に固定するための固定ネジをそれぞれ示す。
【００５５】
＜実施の形態６＞
図９に示すように、この実施の形態６では、スイッチアセンブリ取付部材１２の中空内にテープ状のスイッチアセンブリ１８から伸びるリード線１４ａ，１４ｂからなるリード線１４と制御回路側のリード線１９ａ，１９ｂからなるリード線１９とを連結するためのソケット２５が取り付けられる。リード線１４，１９はそれぞれ複数本に分離しており、ソケット２５は各リード線１４ａ，１４ｂ，１９ａ，１９ｂ同士を連結するソケット口を有する。リード線１９ａ，１９ｂはこのソケット２５の箇所で接続、分断が自在であるから、実施の形態５の場合と同様に、スイッチ取付部材１２がゲートバー５の不正曲げ等により折損した場合は、リード線１９ａ，１９ｂをソケット２５から抜き取りスイッチ取付部材１２を直ちに交換することができる。
【００５６】
【発明の効果】
請求項１に係る発明によれば、筒状のゲートバー内に挿入されたスイッチアセンブリ取付部材にスイッチアセンブリが取り付けられ、破損しない程度に不正に曲げられるゲートバーの内面がスイッチアセンブリを動作させることにより、不正曲げが検知されるようにしたゲートバー不正曲げ検知装置において、スイッチアセンブリ取付部材が、ゲートバー保持腕にゲートバーの長手方向に伸びる片持ち梁のように固定されたゲートバー不正曲げ検知装置であるから、ゲートバーが破損しない程度に不正に曲げられると、ゲートバーの内面がスイッチアセンブリを動作させ、スイッチアセンブリは接触不良を生じることなく作動状態となる。従って、ゲートバーの不正曲げを的確に検知することができる。また、ゲートバーが不正曲げにより撓んでスイッチアセンブリ取付部材に当接しても、スイッチアセンブリ取付部材は片持ち梁状に伸びることからスイッチアセンブリ取付部材も同様に撓み、従ってゲートバーの付け根への応力集中が回避され、ゲートバーの折損が防止される。
【００５８】
請求項２に係る発明によれば、請求項１に記載のゲートバー不正曲げ検知装置において、スイッチアセンブリ位置調整溝がスイッチアセンブリ取付部材にゲートバーの長手方向に伸びるように形成されたゲートバー不正曲げ検知装置であるから、スイッチアセンブリの設置場所をゲートバーの長手方向に位置変更可能である。従って、スイッチアセンブリの位置をゲートバーの長手方向で変えることで感度調整が可能となり、例えば風や開閉動作等によるゲートバーの揺動では不正曲げとして検知されないようにしたり、ゲートバーが繊維強化プラスチック、アルミニウム、プラスチック等の各種の材料で作られることなどによる硬度の違いによって曲げ変形の大きさが変っても一定の感度を得ることができるようにしたりすることができる。
【００５９】
請求項３に係る発明によれば、請求項１に記載のゲートバー不正曲げ検知装置において、スイッチアセンブリ付替え穴がスイッチアセンブリ取付部材にゲートバーの内面周方向に沿うよう複数個形成されたゲートバー不正曲げ検知装置であるから、スイッチアセンブリ取付部材の固定位置がその周方向でバラついても、スイッチアセンブリを取り付ける付替え穴を変更することでスイッチアセンブリを適正な位置に配置することができる。
【００６０】
請求項４に係る発明によれば、請求項１に記載のゲートバー不正曲げ検知装置において、テープ状のスイッチアセンブリがスイッチアセンブリ取付部材の外周に巻回されたゲートバー不正曲げ検知装置であるから、ゲートバーの不正曲げが上下方向、前後方向、斜め方向等各種方向に生じても、ゲートバーの不正曲げを適正に検知することができる。
【００６１】
請求項５に係る発明によれば、請求項１乃至請求項３のいずれかに記載のゲートバー不正曲げ検知装置において、スイッチアセンブリがスイッチアセンブリ取付部材の相対向する位置に取り付けられたゲートバー不正曲げ検知装置であるから、ゲートバーの両方向への不正曲げを検知することができる。
【００６２】
請求項６に係る発明によれば、請求項１乃至請求項３のいずれかに記載のゲートバー不正曲げ検知装置において、スイッチアセンブリがスイッチアセンブリ取付部材の上下及び前後に取り付けられたゲートバー不正曲げ検知装置であるから、ゲートバーが上下両方向及び前後両方向のいずれに屈曲しても不正曲げを検知することができる。
【００６３】
請求項７に係る発明によれば、請求項１乃至請求項６のいずれかに記載のゲートバー不正曲げ検知装置において、スイッチアセンブリのリード線を通す貫通孔がゲートバー保持腕に穿設されたゲートバー不正曲げ検知装置であるから、スイッチアセンブリのリード線をゲートバー保持腕の貫通孔から引き出して外部の制御回路や電源に接続することができる。従って、ゲートバーの側面にリード線を通すための孔をあける必要がないのでゲートバー内への雨水、塵埃等の侵入が防止され、また、ゲートバーの外観の見栄えが向上する。
【図面の簡単な説明】
【図１】本発明の実施の形態１に係るゲート開閉装置を示す斜視図である。
【図２】図１中、ＩＩ−ＩＩ線矢視断面図であり、ゲートバー不正曲げ検知装置の要部を示す。
【図３】図２に示すゲートバー不正曲げ検知装置における処理手順を示すフローチャートである。
【図４】本発明の実施の形態２に係るゲートバー不正曲げ検知装置における処理手順を示すフローチャートである。
【図５】本発明の実施の形態３に係るゲート開閉装置で用いるスイッチアセンブリ保持部材の平面図である。
【図６】（Ａ）は図５中、Ａ−Ａ線矢視断面図、（Ｂ）（Ｃ）はそれぞれ変形例の断面図である。
【図７】本発明の実施の形態４に係るゲートバー不正曲げ検知装置を示す図２と同様な断面図である。
【図８】本発明の実施の形態５に係るゲートバー不正曲げ検知装置を示す図２と同様な断面図である。
【図９】本発明の実施の形態６に係るゲートバー不正曲げ検知装置を示す図２と同様な断面図である。
【符号の説明】
５…ゲートバー
６…ゲートバー保持腕
１２…スイッチアセンブリ取付部材
１３，１８…スイッチアセンブリ
１４，１９…リード線
１５…貫通孔
１６…スイッチアセンブリ位置調整溝
１７…スイッチアセンブリ付替え穴
【図１】
0003954429.tif 000002
【図２】
0003954429.tif 000003
【図３】
0003954429.tif 000004
【図４】
0003954429.tif 000005
【図５】
0003954429.tif 000006
【図６】
0003954429.tif 000007
【図７】
0003954429.tif 000008
【図８】
0003954429.tif 000009
【図９】
0003954429.tif 000010